(57)【要約】【課題】ネットワーク上の少なくとも一つの記録装置に残されているそれぞれの空き記憶領域を有効に活用してコンテンツを録画する。【解決手段】この地上デジタルテレビジョン放送受信システムは、ＤＴＶ１１と複数の記録装置２５ａ〜２５ｃとをＬＡＮ１０を介して接続したものである。ＤＴＶ１１は、各記録装置２５ａ〜２５ｃから得た性能データを不揮発性メモリ６４に登録しておき、コンテンツの録画要求が発生したときにコンテンツの情報から録画条件を算出する録画条件算出ユニット７５と、録画条件をキーに不揮発性メモリ６４に登録されている各記録装置２５ａ〜２５ｃの性能データを参照して録画条件に合致する記録装置２５ａを選定する選定ユニット７６と、選定された記録装置２５ａに対して録画を指示する録画制御ユニット７７とを備える。【選択図】図２
2008278101.tif 000002
【特許請求の範囲】
【請求項１】
ネットワークを介して少なくとも一つの記録装置と通信を行う通信部と、
前記記録装置の性能データを登録するためのメモリと、
前記通信部を通じて通信テストを行い前記ネットワークに接続された前記記録装置から取得した性能データを前記記録装置毎に前記メモリに登録するテストユニットと、
前記コンテンツの録画要求が発生したときに、前記コンテンツの情報から録画条件を算出する録画条件算出ユニットと、
前記録画条件算出ユニットにより算出された録画条件に適合する記録装置を、前記メモリに登録された前記性能データと前記通信部を通じた通信により選定する選定ユニットと、
前記選定ユニットにより選定された記録装置に対して前記コンテンツの録画を指示する録画制御ユニットと
を具備することを特徴とする録画制御装置。
【請求項２】
前記録画条件算出ユニットは、
前記録画要求が発生したときに、対象となるコンテンツのビットレートと、前記ビットレートと記録予定時間とから算出した記録予定サイズとを録画条件とすることを特徴とすることを特徴とする請求項１記載の録画制御装置。
【請求項３】
前記選定ユニットは、
前記録画条件算出ユニットにより算出された録画条件を満たす書き込み性能を有する記録装置の候補を前記メモリに登録されている性能データから選定する第１選定手段と、
前記第１選定手段により選定された前記記録装置の候補と前記通信部および前記ネットワークを通じて通信し、前記ネットワークに実際に接続されている候補の中から前記録画条件を満たす空き容量を有する記録装置を、録画に利用する記録装置として選定する第２選定手段と
を具備することを特徴とする録画制御装置。
【請求項４】
前記コンテンツを表示する表示ユニットを具備することを特徴とする録画制御装置。
【請求項５】
ネットワークを介して少なくとも一つの記録装置と通信を行う通信部を備える録画制御装置による録画制御方法において、
前記通信部を通じて通信テストを行い前記ネットワークに接続された前記記録装置から取得した性能データを前記記録装置毎にメモリに登録するステップと、
前記コンテンツの録画要求が発生したときに、前記コンテンツの情報から録画条件を算出するステップと、
前記算出された録画条件に適合する記録装置を、前記メモリに登録された前記性能データと前記通信部を通じた通信により選定するステップと、
前記選定された記録装置に対して前記コンテンツの録画を指示するステップと
を有することを特徴とする録画制御方法。
【発明の詳細な説明】
【技術分野】
【０００１】
本発明は、例えばネットワーク接続対応のデジタルテレビなどの録画制御装置および録画制御方法に関する。
【背景技術】
【０００２】
近年、地上デジタルテレビジョン放送サービスが開始され、放送されるテレビ番組（以下コンテンツと称す）を録画および再生するための機器の開発および商品化が急務になっている。
【０００３】
地上デジタルテレビジョン放送を視聴するための機器の一つとして、ネットワーク接続対応のデジタルテレビがある。
【０００４】
ネットワーク接続対応のデジタルテレビは、例えばＬＡＮ等のネットワークにデジタルテレビとＬＡＮ接続型の録画デバイス、例えばＮＡＳ等を接続して、デジタルテレビで受信したコンテンツをＬＡＮ上のＮＡＳに録画することを想定した機器である。
【０００５】
例えばデジタルテレビで視聴中のテレビ番組を不用意にＮＡＳに録画した場合、ＮＡＳのパフォーマンスやハードディスクの空き容量等が不足して録画に失敗する場合がある。
【０００６】
例えばパフォーマンスの低い記録デバイスでハイビジョンのコンテンツを録画しようとした場合、またはＮＡＳのハードディスクの空き容量が少ないにもかかわらず、長時間番組を録画した場合などがあげられる。
【０００７】
ネットワーク上に設けたビデオサーバ等の記憶装置に、例えばビデオデータなどのコンテンツを確実に記憶する技術としては、例えば番組資源をビデオサーバに伝達する伝達優先度を予め設定しておき、その伝達優先度に従って番組資源を伝達先のビデオサーバにコピーする技術が提案されている（例えば特許文献１参照）。
【特許文献１】特表２００３−５３３１３８公報
【発明の開示】
【発明が解決しようとする課題】
【０００８】
しかしながら、上記技術の場合、後から発生した番組資源の保持価値が、ビデオサーバに予め保持されていた番組資源よりも高い場合、ビデオサーバに保持されていた番組資源が自動的に削除されてしまい、保持価値の設定いかんによっては、保持が必要であった既存の番組資源が消される可能性があるという問題がある。
【０００９】
本発明はこのような課題を解決するためになされたもので、ネットワーク上の少なくとも一つの記録装置に残されているそれぞれの空き記憶領域を有効に活用してコンテンツを録画することができる録画制御装置および録画制御方法を提供することを目的とする。
【課題を解決するための手段】
【００１０】
上記の課題を解決するために本発明の録画制御装置は、ネットワークを介して少なくとも一つの記録装置と通信を行う通信部と、前記記録装置の性能データを登録するためのメモリと、前記通信部を通じて通信テストを行い前記ネットワークに接続された前記記録装置から取得した性能データを前記記録装置毎に前記メモリに登録するテストユニットと、前記コンテンツの録画要求が発生したときに、前記コンテンツの情報から録画条件を算出する録画条件算出ユニットと、前記録画条件算出ユニットにより算出された録画条件に適合する記録装置を、前記メモリに登録された前記性能データと前記通信部を通じた通信により選定する選定ユニットと、前記選定ユニットにより選定された記録装置に対して前記コンテンツの録画を指示する録画制御ユニットと具備することを特徴とする。
【００１１】
本発明の録画制御方法は、ネットワークを介して少なくとも一つの記録装置と通信を行う通信部を備える録画制御装置による録画制御方法において、前記通信部を通じて通信テストを行い前記ネットワークに接続された前記記録装置から取得した性能データを前記記録装置毎にメモリに登録するステップと、前記コンテンツの録画要求が発生したときに、前記コンテンツの情報から録画条件を算出するステップと、前記算出された録画条件に適合する記録装置を、前記メモリに登録された前記性能データと前記通信部を通じた通信により選定するステップと、前記選定された記録装置に対して前記コンテンツの録画を指示するステップとを有することを特徴とする。
【発明の効果】
【００１２】
本発明によれば、ネットワーク上の少なくとも一つの記録装置に残されているそれぞれの空き記憶領域を有効に活用してコンテンツを録画することができる。
【発明を実施するための最良の形態】
【００１３】
以下、本発明の実施の形態について図面を参照しながら説明する。図１は本発明の実施形態に係るデジタルテレビジョン放送受信システムの構成を示すブロック図、図２はＤＴＶ１１のブロック構成図である。
【００１４】
図１に示すように、このデジタルテレビジョン放送受信システムは、デジタルテレビジョン放送受信装置１１（以下「ＤＴＶ１１」と称す）と、このＤＴＶ１１にローカルエリアネットワーク１０（以下「ＬＡＮ１０」と称す）などのネットワークを介して接続された少なくとも一つの記録装置、この例では３台の記録装置２５ａ，２５ｂ，２５ｃとを備えている。
【００１５】
記録装置２５ａ，２５ｂ，２５ｃは、例えばNetwork Attached Storage：ＮＡＳなどであり、内部にＣＰＵ、メモリ、ハードディスク装置、ＬＡＮインターフェースなどを備えている。
【００１６】
記録装置２５ａの名称はＡ、録画パフォーマンスは３０Ｍｂｐｓ、ハードディスク装置の空き記憶領域である空き容量は１０％であるものとする。記録装置２５ｂの名称はＢ、録画パフォーマンスは２０Ｍｂｐｓ、ハードディスク装置の空き容量は５０％であるものとする。記録装置２５ｃの名称はＣ、録画パフォーマンスは１０Ｍｂｐｓ、ハードディスク装置の空き容量は７０％であるものとする。
【００１７】
このような構成の場合、パフォーマンスは、記録装置２５ａが最も高く、記録装置２５ｃが最も低い。一方、空き容量は、記録装置２５ａが最も少なく、記録装置２５ｃが最も多い。
【００１８】
現在、録画対象となる一般的なコンテンツは、ビットレートで分類した場合、ハイビジョンコンテンツ、地上デジタル放送、ＳＤコンテンツなどに分類される。例えばハイビジョンコンテンツは、おおよそ２４Ｍｂｐｓ、地上デジタル放送は約１５Ｍｂｐｓ、ＳＤコンテンツは約８Ｍｂｐｓ程度である。
【００１９】
ＤＴＶ１１は、薄型のキャビネットと、このキャビネットを起立させて支持する支持台とを備えている。キャビネットには、例えば液晶表示パネル等でなる平面パネル型の映像表示器１４、スピーカ１５、操作部１６、リモートコントローラ１７から送信される操作情報を受ける受光部１８等が設けられている。映像表示器１４は、記録装置２５ａ，２５ｂ，２５ｃに録画されたコンテンツを表示する表示ユニットである。
【００２０】
図２は上記したＤＴＶ１１の主要な信号処理系の構成を示すブロック図である。同図に示すように、ＤＴＶ１１は、入力端子４４，４９、チューナ４５，５０，５２、ＰＳＫ（Phase Shift Keying）復調器４６、信号処理部４７、ＯＦＤＭ（Orthogonal Frequency Division Multiplexing）復調器５１、アナログ復調器５３、グラフィック処理部５４、音声処理部５５、ＯＳＤ（On Screen Display）信号生成部５７、映像処理部５８、出力端子６０、制御部６１、カードＩ／Ｆ（Interface）６５、カードホルダ６６、通信Ｉ／Ｆ６９などを備えている。
【００２１】
カードホルダ６６は、例えばＳＤ（Secure Digital）メモリカード、ＭＭＣ（Multimedia Card）およびメモリスティック等のメモリカード、また、例えば契約情報等の記録されたメモリカード（ＩＣカード）等のメモリカード１９が着脱可能である。これらのメモリカード１９に対してカードホルダ６６およびカードＩ／Ｆ６５を介して番組や写真等の情報の記録および再生が行なわれ、また情報の記録および再生が行なわれる。
【００２２】
また、このＤＴＶ１１は、第１のＬＡＮ端子２１、第２のＬＡＮ端子２２、ＵＳＢ（Universal Serial Bus）端子２３及びIEEE1394端子２４を備えている。IEEE1394端子２４はi.Link（登録商標）端子ともいう。
【００２３】
第１のＬＡＮ端子２１は、ＬＡＮ対応ＨＤＤ専用ポートとして使用されるものであり、接続されたＮＡＳ（Network Attached Storage）であるＬＡＮ対応のＨＤＤ２５に対して、ＬＡＮ１０により情報の記録再生を行なうために使用される。
第１のＬＡＮ端子２１および通信Ｉ／Ｆ６９は、ＬＡＮ１０を介して少なくとも一つの記録装置２５ａ，２５ｂ，２５ｃと通信を行う通信部として機能する。
【００２４】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２５】
また、第２のＬＡＮ端子２２は、ＬＡＮ１０に接続される一般的なＬＡＮ対応ポートとして使用されるもので、例えばハブなどを介して他のネットワーク機器（ＬＡＮ対応のＰＣ（Personal Computer）、ＨＤＤ内蔵のＤＶＤレコーダ等の機器を接続し、これらの機器と情報伝送を行なうために使用される。
【００２６】
なお、ＤＶＤレコーダについては、第２のＬＡＮ端子２２を介して通信されるデジタル情報が制御系のみの情報であるため、ＤＴＶ１１との間でアナログの映像及び音声情報を伝送するために、専用のアナログ伝送路を設ける必要がある。
【００２７】
また、この第２のＬＡＮ端子２２は、ハブに接続されたブロードバンドルータを介して、例えばインターネット等のワイドエリアネットワーク（以下「ＷＡＮ」と称す）に接続し、そのＷＡＮを介してＰＣや携帯電話機等と情報伝送を行なうために使用される。
【００２８】
ＵＳＢ端子２３は、一般的なＵＳＢ対応ポートとして使用されるものであり、例えＵＳＢハブを介して、携帯電話機、デジタルカメラ、メモリカードに対するカードリーダ／ライタ、ＨＤＤ、キーボード等のＵＳＢ機器を接続し、これらのＵＳＢ機器と情報伝送を行なうために使用される。
【００２９】
更に、上記IEEE1394端子２４は、例えばＡＶ−ＨＤＤ、Ｄ（Digital）−ＶＨＳ（Video Home System）等をシリアル接続し、これらの機器と情報伝送を行なうために使用される。
【００３０】
入力端子４４は、アンテナ４３に接続されている。アンテナ４３は、ＢＳ／ＣＳデジタル放送受信用のアンテナであり、衛星デジタルテレビジョン放送信号を受信する。アンテナ４３で受信された衛星デジタルテレビジョン放送信号は、入力端子４４を介して衛星デジタル放送用のチューナ４５に供給される。
【００３１】
チューナ４５は、衛星デジタルテレビジョン放送信号から所望のチャンネルの放送信号を選局する。このチューナ４５は、選局した放送信号をＰＳＫ復調器４６に供給する。ＰＳＫ復調器４６は、供給されたデジタルの映像信号及び音声信号を復調した後、信号処理部４７に出力する。
【００３２】
チューナ５０には、地上波放送受信用のアンテナ４８で受信された地上デジタルテレビジョン放送信号が入力端子４９を通じて供給される。チューナ５０は、供給された地上デジタルテレビジョン放送信号から所望のチャンネルの放送信号を選局する。
【００３３】
チューナ５０は、選局した放送信号をＯＦＤＭ復調器５１に供給する。ＯＦＤＭ復調器５１は、放送信号をデジタルの映像信号及び音声信号に復調し信号処理部４７に出力する。
【００３４】
チューナ５２には、地上波放送受信用のアンテナ４８で受信された地上アナログテレビジョン放送信号が供給される。
チューナ５２は、入力端子４９を介して地上アナログ放送用のチューナ５２に供給されることにより、所望のチャンネルの放送信号を選局し、アナログ復調器５３に供給する。
【００３５】
アナログ復調器５３は、チューナ５２で選局された放送信号をアナログの映像信号及び音声信号に復調した後、信号処理部４７に出力する。
【００３６】
信号処理部４７は、アナログ復調器５３により復調されたアナログの映像信号及び音声信号をグラフィック処理部５４及び音声処理部５５に出力する。
また、信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３７】
グラフィック処理部５４は、信号処理部４７から供給されるデジタルの映像信号に、ＯＳＤ信号生成部５７で生成されるＯＳＤ信号を重畳して出力する。このグラフィック処理部５４は、信号処理部４７の出力映像信号と、ＯＳＤ信号生成部５７の出力ＯＳＤ信号とを選択的に出力する。
【００３８】
また、グラフィック処理部５４は、両出力をそれぞれ画面の半分を構成するように組み合わせて出力する。グラフィック処理部５４から出力されたデジタルの映像信号は、映像処理部５８に供給される。
【００３９】
映像処理部５８は、入力されたデジタルの映像信号を、映像表示器１４で表示可能なフォーマットのアナログ映像信号に変換した後、映像表示器１４に出力して映像表示させるとともに、出力端子５９を介して外部に導出させる。
【００４０】
音声処理部５５は、入力されたデジタルの音声信号を、スピーカ１５で再生可能なフォーマットのアナログ音声信号に変換した後、スピーカ１５に出力して音声再生させるとともに、出力端子６０を介して外部に導出させる。
【００４１】
このＤＴＶ１１は、上記した各種の受信動作を含むその全ての動作を制御部６１によって統括的に制御される。この制御部６１は、ＣＰＵ（Central Processing Unit）、ＲＯＭ（Read Only Memory）６２、ＲＡＭ（Random Access Memory）６３、不揮発性メモリ６４などのメモリを内蔵している。
制御部６１は、上記操作部１６からの操作情報を受け、または、リモートコントローラ１７から送出された操作情報を上記受光部１８を介して受信し、その操作内容が反映されるように各部をそれぞれ制御する。
【００４２】
ＲＯＭ６２には、制御部６１のＣＰＵが実行する制御プログラムが格納されており、起動時にＣＰＵにより制御プログラムが読み出されて各部が制御される。ＲＡＭ６３は、該ＣＰＵに作業エリアを提供する。
【００４３】
不揮発性メモリ６４には、各種の設定情報及び制御情報（ＮＡＳなどの機器から取得された性能データや性能リスト等）が電源供給なしに格納および保持される。つまり、不揮発性メモリ６４は、ＬＡＮに接続された記録装置２５ａ，２５ｂ，２５ｃとその性能データを登録するためのメモリである。制御部６１は、これらのメモリを利用して各部を制御する。
【００４４】
制御部６１は、カードＩ／Ｆ６５を介して、上記メモリカード１９が装着可能なカードホルダ６６に接続されている。これによって、制御部６１は、カードホルダ６６に装着されたメモリカード１９と、カードＩ／Ｆ６５を介して情報伝送を行なうことができる。
【００４５】
制御部６１は、カードＩ／Ｆ６５とは異なるカードＩ／Ｆを介して、他のメモリカード（第２のメモリカード）を装着可能なカードホルダに接続されており、第２のメモリカードと情報伝送を行なう。
【００４６】
制御部６１は、通信Ｉ／Ｆ６９を介して第１のＬＡＮ端子２１に接続されている。これにより、制御部６１は、第１のＬＡＮ端子２１に接続されたＬＡＮ対応のＮＡＳである記録装置２５ａ，２５ｂ，２５ｃと、通信Ｉ／Ｆ６９を介して情報伝送を行なうことができる。
【００４７】
この場合、制御部６１は、ＤＨＣＰ（Dynamic Host Configuration Protocol）サーバ機能を有し、第１のＬＡＮ端子２１に接続されたＬＡＮ対応の記録装置２５ａ，２５ｂ，２５ｃにＩＰ（Internet Protocol）アドレスを割り当てて登録ユニット８０による利用機器の登録動作が可能になる。
【００４８】
制御部６１は、通信Ｉ／Ｆ７０を介して第２のＬＡＮ端子２２に接続されている。制御部６１は、第２のＬＡＮ端子２２に接続された各機器と、通信Ｉ／Ｆ７０を介して情報伝送を行なう。
【００４９】
制御部６１は、ＵＳＢ Ｉ／Ｆ７１を介してＵＳＢ端子２３に接続されている。制御部６１は、ＵＳＢ端子２３に接続された各機器と、ＵＳＢ Ｉ／Ｆ７１を介して情報伝送を行なう。
【００５０】
制御部６１は、ＩＥＥＥ１３９４ Ｉ／Ｆ７２を介してＩＥＥＥ１３９４端子２４に接続されている。制御部６１は、ＩＥＥＥ１３９４端子２４に接続された各機器と、IEEE1394Ｉ／Ｆ７２を介して情報伝送を行なう。
【００５１】
制御部６１は、登録ユニット８０と、テストユニット７４と、録画条件算出ユニット７５、選定ユニット７６と、録画制御ユニット７７とを有している。
登録ユニット８０は、ネットワーク上の記録再生処理を行う記録再生機器を不揮発性メモリ６４に登録する。
【００５２】
登録ユニット８０は、例えばＬＡＮに接続された記録装置２５ａ，２５ｂ，２５ｃと通信Ｉ／Ｆ６９および第１のＬＡＮ端子２１などの通信部を通じて通信し、記録装置２５ａ，２５ｂ，２５ｃを、コンテンツの録画および再生に利用する機器として不揮発性メモリ６４に登録する。
【００５３】
テストユニット７４は、不揮発性メモリ６４に登録された記録装置２５ａ，２５ｂ，２５ｃの性能データを取得するためのテストを行い、記録装置２５ａ，２５ｂ，２５ｃから得られた性能データを記録装置毎に不揮発性メモリ６４の性能リスト６４ａ（図３参照）に記憶する。
【００５４】
録画条件算出ユニット７５は、コンテンツの録画要求が発生したときに、コンテンツの情報（ビットレート、録画予定時間など）から録画条件の一つである記録予定サイズなどを算出する。録画条件としては記録予定サイズの他に録画パフォーマンスであるビットレートなども含まれる）
【００５５】
詳細には、選定ユニット７６は、番組を視聴している利用者によりリモートコントローラ１７が録画操作された場合や録画予約機能による録画開始イベントの発生で、録画要求が発生したときに、対象となるコンテンツのビットレートと、このビットレートと記録予定時間とから記録予定サイズを算出し、算出した記録予定サイズとビットレートとをコンテンツの録画条件とする。
【００５６】
選定ユニット７６は、録画条件に適合しかつ上位の性能を有する記録装置を、不揮発性メモリ６４に登録されている各記録装置２５ａ，２５ｂ，２５ｃの性能データと通信部（第１のＬＡＮ端子２１および通信Ｉ／Ｆ６９）による通信によって、コンテンツの録画に利用する記録装置を選定する。
【００５７】
選定ユニット７６は、録画条件算出ユニット７５により算出された録画条件（記録予定サイズ、ビットレートなど）をキーに、不揮発性メモリ６４に登録されている各記録装置２５ａ，２５ｂ，２５ｃの性能リスト６４ａを参照してリストの上位に設定されている記録装置から順に録画条件に合致するか否かを判定することで候補を選定し、選定した候補と実際に通信して空き容量が録画条件を満たす記録装置を選定（決定）する。
【００５８】
すなわち、選定ユニット７６は、録画条件算出ユニット７５により算出された録画条件を満たす書き込み性能を有する記録装置の候補を不揮発性メモリ６４に登録されている性能データから選定する第１選定手段として機能する。
【００５９】
また、選定ユニット７６は、第１選定手段により選定された記録装置の候補と通信部およびＬＡＮ１０を通じて通信し、ＬＡＮ１０に実際に接続されている候補の中から録画条件を満たす空き容量を有する記録装置を、録画に利用する記録装置として選定する第２選定手段として機能する。
【００６０】
詳細には、選定ユニット７６は、コンテンツの情報から、コンテンツのビットレートが高い場合に性能が高い記録装置を選定し、コンテンツのビットレートが低い場合に性能が低い記録装置を選定する。
【００６１】
録画制御ユニット７７は、選定ユニット７６により選定された記録装置に対してコンテンツの録画を指示する。
【００６２】
図１のリソース環境では、最もパフォーマンスの高い記録装置は記録装置２５ａであり、この記録装置２５ａは、ハイビジョンコンテンツでない限り録画をしない方が良い。また、この環境でＳＤコンテンツを録画するとなると、録画パフォーマンスが低くても空き容量の大きい記録装置２５ｃを選定することが望ましい。
【００６３】
基本的には、コンテンツのビットレートより速いパフォーマンスを持つ記録装置の中で一番性能の低いものを候補に挙げ、その後、空き容量が十分か否かをチェックした上で録画を行うのがよい。
【００６４】
また、記録装置の空き容量がない場合は当然他の記録装置を選定した上で録画を行うことになる。
【００６５】
例えば図１の環境でＳＤコンテンツを録画する場合、記録装置２５ｃの空き容量が少なく、要求されたコンテンツの録画サイズが収まりきらない場合は、記録装置２５ｂに録画するといった動的な選択を行うことで失敗することなく録画を行うことができる。
【００６６】
上記のようなことを踏まえて、以下、このデジタルテレビジョン放送受信システムの動作を説明する。
【００６７】
このデジタルテレビジョン放送受信システムでは、ＬＡＮ１０に記録装置２５ａ，２５ｂ，２５ｃなどが接続されてから、受信した中の所望の番組コンテンツを録画するまでは、機器の登録、性能テスト、録画要求に応じた記録装置の選定などの処理を経る必要がある。
【００６８】
（ネットワーク機器の登録動作）
このデジタルテレビジョン放送受信システムでは、ＬＡＮ１０に、記録装置２５ａ〜２５ｃを接続すると、ＤＴＶ１１のＤＨＣＰ機能により記録装置２５ａ〜２５ｃにＩＰが割り当てられる。
【００６９】
リモートコントローラ１７等から機器登録メニューを選択して実行操作を行うと、登録ユニット８０が、映像表示器１４に登録画面を表示する。
この登録画面上に表示された検索ボタンをリモートコントローラ１７から選択操作すると、登録ユニット８０は、ＬＡＮ１０に対して、登録コマンド（検索コマンド）を送信する。
【００７０】
これにより、ＬＡＮ１０に接続された記録装置２５ａ〜２５ｃから、割り当てられたＩＰアドレスを含む記録装置の識別情報（装置名または装置ＩＤなど）が返信されてくるので、登録ユニット８０は、図３に示すように、不揮発性メモリ６４の性能リスト６４ａの装置名（装置ＩＤ）の欄に、装置名（装置ＩＤ）を登録する。
【００７１】
（テスト動作）
次に、図４に示すように、テストユニット７４は、各記録装置２５ａ，２５ｂ，２５ｃに対して順に性能テストを行う（図４のステップＳ１０１）。
【００７２】
この場合、テストユニット７４は、不揮発性メモリ６４の性能リスト６４ａ上の初めの記録装置２５ａの性能データを取得するためのテストコマンド（図５参照）を記録装置２５ａのＩＰアドレスを指定してＬＡＮ１０へ送信し、各記録装置２５ａから取得した性能データ（書き込み速度、空き容量など）を、性能リスト６４ａの該当装置名：Ａのレコードに登録する（ステップＳ１０２）。この動作を記録装置２５ｂ，２５ｃについても同様に行い、性能リスト６４ａに性能データを登録する。
【００７３】
すべての記録装置２５ａ，２５ｂ，２５ｃの性能テストが終了した後、テストユニット７４は、性能リスト６４ａをパフォーマンスの昇順にソートする（ステップＳ１０３）。
【００７４】
すなわち、テストユニット７４は、記録装置２５ａ，２５ｂ，２５ｃから得られた性能データを、記録装置毎に性能の高い順に不揮発性メモリ６４に記憶する。
【００７５】
（書き込み速度について）
詳細には、図６に示すように、テストユニット７４は、所定量のデータ（例えば１００Ｍ程度の動画ファイルなど）の書き込みコマンドを送信すると同時に性能テスト開始時刻をＲＡＭ６３に記録し（図６のステップＳ１１１）、記録装置２５ａの側で、受信されたデータの書き込み処理が実行された後（ステップＳ１１２）、記録装置２５ａからの書き込み完了を示す応答コマンドがＤＴＶ１１に受信された終了時刻をＲＡＭ６３に記録し（ステップＳ１１３）、ＲＡＭ６３に記録された性能テストの開始時刻と終了時刻との差を算出して、書き込みに要した時間とデータ量とから書き込み速度（単位：bps）を求める（ステップＳ１１４）。bps（bits per second）は、１秒間に何ビットのデータを送受信できるかを表す通信速度の単位である。
【００７６】
なお記録装置２５ａに書き込まれるデータ量を１時間当たり［ＭＢ／時間］に換算する場合、次式（式１）
［ビットレート（bits）］／［８（１バイト中のビット数）］×３６００秒
＝［ＫＢ／時間］／１０００    …（式１）で求められる。
【００７７】
ここで、図７，図８を参照して録画動作を説明する。
番組を視聴している利用者によりリモートコントローラ１７が録画操作された場合や録画予約機能による録画開始イベントが発生した場合に、制御部６１にコンテンツの録画要求が発生する。
【００７８】
すると、録画条件算出ユニット７５は、録画対象のコンテンツのビットレートと、このビットレートと記録予定時間とから記録予定サイズを算出し、算出した記録予定サイズとコンテンツビットレートなどを録画条件とする。
すなわち、録画条件算出ユニット７５は、コンテンツの情報（ビットレート、録画予定時間など）から録画条件の一つである記録予定サイズなどを算出し、録画条件をＲＡＭ６３に設定する。
録画条件がＲＡＭ６３にセットされると、選定ユニット７６は、録画条件算出ユニット７５により算出された録画条件（記録予定サイズ、ビットレートなど）をキーに、不揮発性メモリ６４に登録されている各記録装置２５ａ，２５ｂ，２５ｃの性能リスト６４ａを参照して録画条件に合致する記録装置の中で空き容量の最も多い記録装置を選定する。
ここで、選定ユニット７６は、まず不揮発性メモリ６４の性能リスト６４ａに比較対象となる記録装置が登録されているか否かをチェックする（図７のステップＳ２０１）。この例では、性能リスト６４ａに、図８に示すような性能データ（録画パフォーマンス：書き込み速度）が登録されているものとする。
【００７９】
選定ユニット７６は、チェックの結果、性能リスト６４ａの上位に位置する記録装置：Ａ（記録装置２５ａ）の性能データと録画条件とを不揮発性メモリ６４から読み出して、録画条件のコンテンツビットレートと該当記録装置の性能データのビットレートとを比較し、コンテンツビットレートよりも性能データのビットレートが大きいか否かを判定する（ステップＳ２０２）。
【００８０】
ここでは、選定ユニット７６は、コンテンツビットレートが高い場合に性能が高い記録装置を選定し、コンテンツビットレートが低い場合に性能が低い記録装置を選定する。
【００８１】
この判定の結果、記録装置のビットレートの方が大きい場合（ステップＳ２０２のＹｅｓ）、選定ユニット７６は、その記録装置を録画に利用する候補とし、続いてその性能リストに登録されている記録装置が実際にＬＡＮ１０に接続されているか否かを、通信Ｉ／Ｆ６９およびＬＡＮ１０を通じたコマンドのやりとりでチェックする（ステップＳ２０３）。具体的に制御部６１から発行されるコマンドは、例えばＬｉｎｕｘなどでいうところのＤＦコマンド（空き容量要求コマンド）である。
【００８２】
送信した空き容量要求コマンドに対する応答コマンドが返信されてきた場合、選定ユニット７６は、応答コマンドに含まれる記録装置の空き容量と、録画条件の記録予定サイズとを比較して、録画条件の記録予定サイズよりも記録装置の空き容量が大きいか否かを判定する（ステップＳ２０４）。
【００８３】
この判定の結果、記録予定サイズよりも記録装置の空き容量が大きい場合（ステップＳ２０４のＹｅｓ）、選定ユニット７６は、その記録装置を録画対象の記録装置として決定し、録画制御ユニット７７へ通知する。
【００８４】
録画制御ユニット７７は、選定ユニット７６により選定された記録装置に対してコンテンツの録画を指示するコマンドを送信することで、録画を実行する（ステップＳ２０５）。
【００８５】
なお、上記Ｓ２０２，Ｓ２０３，Ｓ２０４の判定処理の結果、一つでも録画条件を満たしていなかった場合（判定結果がＮｏの場合）は、性能リスト６４ａにある次の順位の記録装置を比較対象とし（ステップＳ２０６）、上記一連の処理を繰り返し実行する（ステップＳ２０７）。
【００８６】
そして、ＬＡＮ１０に接続されているすべての記録装置２５ａ〜２５ｃを比較対象として記録装置の選定処理を行った結果、どの記録装置も録画条件を満たさなかった場合、録画制御ユニット７７は、録画できない旨のメッセージを映像表示器１４に出力して今回の録画イベントについての処理を終了（異常終了）する。
【００８７】
このようにこの実施形態のデジタルテレビジョン放送受信システムによれば、ＬＡＮ１０に接続された記録装置２５ａ〜２５ｃを登録したときに録画パフォーマンス（書き込み速度：ビットレート）を設定した性能リスト６４ａを作成しておき、コンテンツを実際に録画する際に録画予定サイズとコンテンツビットレートを録画条件とし、性能リスト６４ａにある記録装置の書き込み速度がコンテンツビットレートを満たすか否かをチェックした上で、候補の記録装置のハードディスク装置の空き容量を調べて録画予定サイズを満たす録画装置を決定（選定）することによって、録画パフォーマンスの高い記録装置２５ａには、極力ビットレートの高いハイビジョンコンテンツを録画し、地上デジタル放送やＳＤコンテンツなどの低ビットレートコンテンツについては録画パフォーマンスの低い記録装置２５ｃなどに録画することができ、ＬＡＮ１０に接続されたＮＡＳなどの記録装置２５ａ〜２５ｃ（リソース）を有効に活用し、記録装置２５ａ〜２５ｃに既に録画されているコンテンツを削除せずに新たな番組（コンテンツ）を録画することができる。
【００８８】
例えば録画対象が予め低ビットレートのコンテンツの場合、複数の記録装置２５ａ〜２５ｃのうちの録画パフォーマンスの低い記録装置２５ｃを選定して録画するので、録画パフォーマンスの高い記録装置２５ａの記録容量が温存され、ハイビジョンコンテンツを録画するときに、録画パフォーマンスの高い記録装置２５ａで録画できるようになる。
【００８９】
換言すれば、録画パフォーマンスの高い記録装置２５ａに低ビットレートのコンテンツを録画したために、いざハイビジョンコンテンツを録画する際に記録装置２５ａの空き容量が少ないために録画できないといった事態を回避できる。
【００９０】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【００９１】
例えば、実施形態に示される全構成要素から幾つかの構成要素を削除してもよい。さらに、異なる実施形態にわたる構成要素を適宜組み合わせてもよい。
【図面の簡単な説明】
【００９２】
【図１】本発明の一実施形態のデジタルテレビジョン放送受信システムの概要構成を示す図である。
【図２】図１のデジタルテレビジョン放送受信システムのＤＴＶの構成を示すブロック図である。
【図３】性能リストへの記録装置の登録例を示す図である。
【図４】テストユニットの動作を示すフローチャートである。
【図５】性能リストへの性能データの登録例を示す図である。
【図６】テストユニットによるコマンドのやりとりを示すシーケンス図である。
【図７】ＤＴＶによる録画動作を示すフローチャートである。
【図８】複数の記録装置の性能データの登録例を示す図である。
【符号の説明】
【００９３】
１０…ＬＡＮ（ローカルエリアネットワーク）、１１…デジタルテレビジョン放送受信装置、１４…映像表示器、１５…スピーカ、１６…操作部、１７…リモートコントローラ、１８…受光部、１９…メモリカード、２１…第１のＬＡＮ端子、２２…第２のＬＡＮ端子、２３…ＵＳＢ（Universal Serial Bus）端子、２４…IEEE1394端子、２５ａ〜２５ｃ…記録装置、４３…アンテナ、４４，４９…入力端子、４５，５０，５２…チューナ、４６…復調器、４７…信号処理部、４８…アンテナ、４９…入力端子、５１…復調器、５３…アナログ復調器、５４…グラフィック処理部、５５…音声処理部、５７…信号生成部、５８…映像処理部、５９…出力端子、６０…出力端子、６１…制御部、６４…不揮発性メモリ、６４ａ…性能リスト、６５…カードＩ／Ｆ（Interface）、６６…カードホルダ、６９…通信Ｉ／Ｆ、７４…テストユニット、７５…録画条件算出ユニット、７６…選定ユニット、７７…録画制御ユニット、８０…登録ユニット。
【図１】
2008278101.tif 000003
【図２】
2008278101.tif 000004
【図３】
2008278101.tif 000005
【図４】
2008278101.tif 000006
【図５】
2008278101.tif 000007
【図６】
2008278101.tif 000008
【図７】
2008278101.tif 000009
【図８】
2008278101.tif 000010